(57)【要約】【課題】従来の腕金と同様の態様で使用可能であり、鳥類が営巣することを防止可能な腕金を提供する。【解決手段】電線・ケーブル類の架設に使用する、電柱に取付け使用される腕金１であって、機器・機具・金物を取付ける機器取付部２３を有するアーム部１１と、該腕金１を電柱に固定する装柱金具を取付ける装柱金具取付部３１と、を有し、前記アーム部１１は、横断面が上に凸の形状を有し、前記装柱金具取付部３１は、横断面が矩形形状である。アーム部１１は、底面１６に比較して幅の狭い平坦な上面１５を有し、該上面１５が機器取付部２３となる。【選択図】図１
2019106781.tif 000002
【特許請求の範囲】
【請求項１】
電線・ケーブル類の架設に使用する、電柱に取付け使用される腕金であって、
機器・機具・金物を取付ける機器取付部を有するアーム部と、
該腕金を電柱に固定する装柱金具を取付ける装柱金具取付部と、
を有し、
前記アーム部は、横断面が上に凸の形状を有し、
前記装柱金具取付部は、横断面が矩形形状であることを特徴とする腕金。
【請求項２】
前記アーム部と前記装柱金具取付部とが長手方向に配置され、
又は前記アーム部と前記装柱金具取付部とが短手方向に配置され前記アーム部が前記装柱金具取付部の上部に位置することを特徴とする請求項１に記載の腕金。
【請求項３】
前記アーム部は、長手方向の少なくとも一部にアーム部の底面又は前記装柱金具取付部の底面に比較して幅の狭い上面が平坦な平坦部を有し、
前記平坦部が前記機器取付部であることを特徴とする請求項１又は請求項２に記載の腕金。
【請求項４】
前記アーム部は、長手方向の全部が前記機器取付部であり、
又は前記アーム部は、長手方向に前記機器取付部が所定の長さ、所定の間隔で設けられていることを特徴とする請求項１から３のいずれか１項に記載の腕金。
【発明の詳細な説明】
【技術分野】
【０００１】
本発明は、電線・ケーブル類を架設する腕金に関し、特に鳥類が営巣することを防止可能な腕金に関する。
【背景技術】
【０００２】
電柱には、電線、機器を固定支持するために多くの金物が取付けられており、電線・ケーブル類の架設に使用する腕金はその金物の代表例の一つである。一般的な腕金は、角パイプ状でありバンドを介して電柱に水平に固定され、開閉器、変圧器、碍子、高圧カットアウト、支持金物などの機器・機具・金物を支持する。このような腕金は上面が平らで水平であるため鳥類による営巣が問題となる。
【０００３】
防巣対策を施した腕金としては、上面に鉛直方向に伸びる多数の針状物、あるいは棒状物を取付けた腕金がある（例えば特許文献１参照）。このような腕金は、鳥が止まることができないため営巣を防止することができる。
【０００４】
また防巣対策を施した他の腕金としては、角パイプ状の腕金の上に凸の三角形のカバーを取付け、営巣に必要な枝等の営巣材料を載置できなくした腕金もある（例えば特許文献２参照）。上に凸の三角形のカバー、あるいは半円状のカバーを取付けてなる腕金は、腕金への積雪防止対策としても利用されている（例えば特許文献３参照）。
【先行技術文献】
【特許文献】
【０００５】
【特許文献１】特開２０１１−１４２７８０号公報
【特許文献２】実開平６−２９３３４号公報
【特許文献３】特開２０１６−１９３９４号公報
【発明の概要】
【発明が解決しようとする課題】
【０００６】
特許文献２、特許文献３に記載の上に凸のカバーを取付けてなる腕金は、角パイプ状の腕金に対して後からカバーを取付ける必要があり、挟み込みによる固定、ボルト止めにより固定される。前者の挟み込みよる方法は簡便であるが、固定が十分とは言えず移動、落下の危険がある。後者の方法は、しっかりと固定できるが、腕金及びカバーに設けられたボルト取付孔の位置合わせが必要となり手間が掛かる。
【０００７】
またカバーは、腕金に取付けられた碍子、高圧カットアウトなどの機器等に接触しないように取付ける必要があり、腕金を隙間なく覆うには各機器に対応した長さのカバーが必要となり準備が大変である。
【０００８】
本発明の目的は、従来の腕金と同様の態様で使用可能であり、鳥類が営巣することを防止可能な腕金を提供することである。
【課題を解決するための手段】
【０００９】
本発明は、電線・ケーブル類の架設に使用する、電柱に取付け使用される腕金であって、機器・機具・金物を取付ける機器取付部を有するアーム部と、該腕金を電柱に固定する装柱金具を取付ける装柱金具取付部と、を有し、前記アーム部は、横断面が上に凸の形状を有し、前記装柱金具取付部は、横断面が矩形形状であることを特徴とする腕金である。
【００１０】
本発明の腕金において、前記アーム部と前記装柱金具取付部とが長手方向に配置され、又は前記アーム部と前記装柱金具取付部とが短手方向に配置され前記アーム部が前記装柱金具取付部の上部に位置することを特徴とする。
【００１１】
また本発明の腕金において、前記アーム部は、長手方向の少なくとも一部にアーム部の底面又は前記装柱金具取付部の底面に比較して幅の狭い上面が平坦な平坦部を有し、前記平坦部が前記機器取付部であることを特徴とする。
【００１２】
また本発明の腕金において、前記アーム部は、長手方向の全部が前記機器取付部であり、又は前記アーム部は、長手方向に前記機器取付部が所定の長さ、所定の間隔で設けられていることを特徴とする。
【発明の効果】
【００１３】
本発明によれば従来の腕金と同様の態様で使用可能であり、鳥類が営巣することを防止可能な腕金を提供することができる。
【図面の簡単な説明】
【００１４】
【図１】本発明の第１実施形態の腕金１を装柱金具取付部３１側の上方から見た斜視図である。
【図２】図１の切断線Ａ−Ａ、切断線Ｂ−Ｂの断面図である。
【図３】図１の腕金１の使用例を示す図である。
【図４】図１の腕金１のアーム部１１の他の形態の断面図である。
【図５】本発明の第２実施形態の腕金２を上方から見た斜視図である。
【図６】図５の切断線Ｃ−Ｃ、切断線Ｄ−Ｄ、切断線Ｅ−Ｅの各断面図である。
【図７】図５の腕金２の使用例を示す図である。
【図８】本発明の第３実施形態の腕金３を上方から見た斜視図である。
【図９】図８の切断線Ｆ−Ｆの断面図及び腕金３の変形例を示す断面図である。
【図１０】図８の腕金３の使用例を示す図である。
【発明を実施するための形態】
【００１５】
図１は、本発明の第１実施形態の腕金１を装柱金具取付部３１側の上方から見た斜視図であり、図２は、図１の切断線Ａ−Ａ、切断線Ｂ−Ｂの断面図である。図３は、第１実施形態の腕金１の使用例を示す図である。
【００１６】
腕金１は、電線・ケーブル類の架設に用いられる片支持タイプの腕金であり槍出しアームと呼ばれる腕金であり、図３に示すように装柱金具１０５を用いて電柱１０１に固定され使用される。腕金１は、電線１１１を支持する碍子１２１、柱上変圧器を保護する高圧カットアウト（図示省略）などの機器・機具、他の腕金、ストラップなどの金物（以下、機器等と記す）を取付けるためのアーム部１１と、アーム部１１の基端部２１に連結する、装柱金具１０５を取付ける装柱金具取付部３１とを備える。
【００１７】
アーム部１１は、上面１５と底面１６とが平行に、また上面１５と底面１６とをつなぐように傾斜した左右の側面１７がそれぞれ金属製の板材で覆われた中空部材である。アーム部１１は、上面１５の幅Ｌ１が底面１６の幅Ｌ２に比較して狭く、側面１７が鋭角な（図２のθ１が小さい）横断面が上に凸状の台形状である。アーム部１１の長手方向の形状は同じである。アーム部１１の先端部２２は開口し、アーム部の基端部２１は、装柱金具取付部３１で覆われている部分を除き板材で閉止されている。
【００１８】
上面１５は、機器等が取付けられる機器取付部２３であり、幅Ｌ１が機器等を取付け可能な範囲で狭く設定されており、上面１５には機器等を取付けるための取付孔２４が穿設されている。上面１５の幅Ｌ１を狭くすることで、鳥類が木の枝などの営巣材料を運んできたときアーム部１１の上面１５に営巣材料が載置されることを防止し、載置された場合であっても風、振動等により落下し易くすることができる。
【００１９】
底面１６には、上面１５に設けられた取付孔２４の真下に機器等を取付けるための取付孔２５が穿設されている。底面１６の幅Ｌ２は、装柱金具取付部３１の幅Ｌ３よりも広い。側面１７は平板である。本実施形態の腕金１には、側面１７に孔が穿設されていないが、公知の腕金と同様に側面に孔を設けてもよい。
【００２０】
装柱金具取付部３１は、腕金１を電柱１０１に固定する装柱金具１０５を取付けるための部位であり、横断面が正方形の角パイプ形状を有し、アーム部１１の基端部２１に連結するように設けられている。装柱金具取付部３１は、装柱金具１０５に対応した形態となっており、側面３６には装柱金具１０５のボルト１０６を取付けるためのボルト取付孔３８が穿設されている。装柱金具取付部３１の形態は、本実施形態に限定されるものではないが、既存の装柱金具１０５に対応した形態とすることで新たに装柱金具を準備することなく使い勝手に優れる。
【００２１】
腕金１の使用例として、腕金１にピン碍子１２１を取付け、電線１１１をバインド線１２２で固定した例を図３に示した。図３からも分かるようにアーム部１１の上面１５の幅Ｌ１が狭く、さらに装柱金具取付部３１も長さＬ４が短いため営巣を防止することができる。また腕金１は、装柱金具取付部３１を備え、従来の腕金と同様の使い方ができるので現場で使い易い。
【００２２】
図４に、第１実施形態の腕金１のアーム部１１の他の形態を示す。図４は、図１の切断線Ａ−Ａに対応する位置の断面図である。図１から図３に示す第１実施形態の腕金１と同一の構成には同一の符号を付して説明を省略する。
【００２３】
図１のアーム部１１の横断面が、２等辺三角形の頂部を底面１６に水平に切り落とした形状からなるのに対して、図４（ａ）のアーム部１１の横断面は、一方の側面１７ａが底面１６に対して垂直であり、横断面が直角三角形の頂部を底面１６に水平に切り落とした形状からなる。なお図１の装柱金具取付部３１の横断面が正方形であるのに対して、図４（ａ）の装柱金具取付部３１は、横断面が縦長の長方形である。
【００２４】
図４（ｂ）のアーム部１１の横断面は、平板状の左右の側面１７がそれぞれ中央部が屈曲しており、側面１７は上部１７ｂに比較して下部１７ｃの方が急である。
【００２５】
図４（ｃ）のアーム部１１の横断面は、短軸が底面１６と平行である半楕円の頂部を底面１６に水平に切り落とした形状からなり、側面１７ｄが湾曲している。図４（ｄ）は、側面１７のうち上部側面１７ｅが円弧状で、下部側面１７ｆが垂直面となっている。図４（ｅ）のアーム部１１の横断面は、半円の頂部を底面１６に水平に切り落とした形状からなり、側面１７ｇは湾曲している。
【００２６】
図１から図４に示すように第１実施形態の腕金１のアーム部１１は、いずれも底面１６に平行な幅の狭い機器取付部２３となる上面１５を有し、側面１７は、直線状の傾斜面又は湾曲した傾斜面、鉛直面、これらの組合せからなる。このような形状からなる腕金１は、上面１５に営巣材料を載置させ難く、載置された場合であっても風、振動等により落下し易く、さらに側面１７にも営巣材料を載置させることができないため防巣効果を奏する。
【００２７】
図１から図４に示す第１実施形態の腕金１は、切断線Ａ−Ａで示す断面図から分かるように、アーム部１１の横断面が装柱金具取付部３１の横断面に比較して大きく、アーム部１１の先端部２２から装柱金具取付部３１方向に見たとき、装柱金具取付部３１がアーム部１１に隠れるが、装柱金具取付部３１はアーム部１１から突出していてもよい。
【００２８】
図５は、本発明の第２実施形態の腕金２を上方から見た斜視図であり、図６は、図５の切断線Ｃ−Ｃ、切断線Ｄ−Ｄ、切断線Ｅ−Ｅの各断面図である。図７は、第２実施形態の腕金２の使用例を示す図である。図１から図４に示す第１実施形態の腕金１と同一の構成には同一の符号を付して説明を省略する。
【００２９】
第２実施形態の腕金２も第１実施形態の腕金１と同様に、電線・ケーブル類の架設に用いられる腕金であり、図７に示すように装柱金具１０５を用いて電柱１０１に固定され使用される。腕金２は、機器等を取付けるためのアーム部１２と、装柱金具１０５を取付ける装柱金具取付部３２とを備え、装柱金具取付部３２の両側にアーム部１２が設けられている。
【００３０】
腕金２の左右に配置されるアーム部１２は同じ形態であり、横断面が上に凸状の台形部２７と凸状の三角部２８とで構成され、台形部２７と三角部２８とが交互に配置されている。アーム部１２のうち台形部２７が、碍子１２１などの機器等を取付けるための機器取付部２３であり、平坦な上面１５と平坦な底面１６とが平行に、また上面１５と底面１６とをつなぐように傾斜した左右の側面１７がそれぞれ金属製の板材で覆われ中空である点で第１実施形態と腕金１と同じである。取付孔２４、２５が、台形部２７の上面１５及び底面１６に穿設されている。
【００３１】
腕金２のアーム部１２は、腕金１のアーム部１１に比較して全体的に小振りである。具体的には、底面１６の幅Ｌ２が装柱金具取付部３２の幅Ｌ３と同一で、台形部２７の高さＨ１が、取付部３２の高さＨ２と同一である。腕金２のアーム部１２の大きさはこれに限定されるものではなく、台形部２７の高さＨ１が、装柱金具取付部３２の高さＨ２よりも高くても低くてもよい。
【００３２】
三角部２８は、台形部２７の左右の側面１７をそれぞれ伸長させたかたちで形成されており中空である。三角部２８の底面１６と台形部２７との底面１６との幅Ｌ２は同じであり、三角部２８の底面１６と台形部２７の底面１６とはつながっている。三角部２８の側面１８と台形部２７の側面１７とは同じ傾斜角度であり、三角部２８の側面１８と台形部２７の側面１７もつながっている。三角部２８のうち台形部２７との境界であって、台形部２７から突出している部分２９は板材で閉止されている。
【００３３】
台形部２７は、アーム部１２に対して既存の腕金と同様に碍子１２１などの機器等を所定の位置に配置できるように所定の位置に所定の間隔で設けられている。各台形部２７の長さＬ５は、機器等の取付けに必要な最小限の長さとなっており、アーム部１２のうち台形部２７を除いた部分が三角部２８となっている。
【００３４】
装柱金具取付部３２は、腕金１の装柱金具取付部３１と基本的形状は同一であるが、電柱１０１に取付ける装柱金具１０５との関係から装柱金具取付部３１に比べ長くなっている。装柱金具取付部３２の底面１６は、腕金１と同様にアーム部１２の底面１６とつながっている。腕金２においては、アーム部１２の横断面が装柱金具取付部３２の横断面に比較して小さいため、装柱金具取付部３２の両端部３３は、アーム部１２で覆われている部分を除き板材で閉止されている。
【００３５】
腕金２の使用例として、腕金２にピン碍子１２１を取付け、電線１１１をバインド線１２２で固定した例を図７に示した。腕金２は、アーム部１１の台形部２７の上面１５の幅Ｌ１が狭いのみならず機器取付部２３である台形部２７以外は、上に凸状の三角部２８ゆえ第１実施形態の腕金１以上に営巣を防止することができまる。また腕金２は、装柱金具取付部３２を備え、従来の腕金と同様の使い方ができるので現場で使い易い。
【００３６】
図８は、本発明の第３実施形態の腕金３を上方から見た斜視図であり、図９は、図８の切断線Ｆ−Ｆの断面図及び腕金３の変形例を示す断面図である。図１０は、図８の腕金３の使用例を示す図である。図１から図７に示す第１及び第２実施形態の腕金１、２と同一の構成には同一の符号を付して説明を省略する。
【００３７】
第３実施形態の腕金３も、第１実施形態の腕金１及び第２実施形態の腕金２と同様に電線・ケーブル類の架設に用いられる腕金であり、図１０に示すように装柱金具１０５を用いて電柱１０１に固定され使用される。腕金１、２では、装柱金具取付部３１、３２とアーム部１１、１２とが長手方向に直線的に配置されているのに対して、第３実施形態の腕金３は、機器等を取付けるためのアーム部１３の下方に装柱金具取付部３４が位置している。
【００３８】
アーム部１３は、上面１５の幅Ｌ１が機器等を取付け可能な範囲で狭く設定されており、側面１７が鋭角な横断面が上に凸状の台形状である点で第１実施形態の腕金１のアーム部１１と共通するが、アーム部１３の底面は開口しており、傾斜した左右の側面１７の下辺は、装柱金具取付部３４の側面の上辺３７とつながっている。
【００３９】
アーム部１３の上面１５は、所定の間隔で機器等を取付けるための取付孔２４が穿設されており機器取付部２３となる。アーム部１３には底面が設けられていないため、腕金１のアーム部１１の底面１６に設けられた取付孔２５に代わる取付孔４１が装柱金具取付部３４の底面４０に設けられている。アーム部１３の長手方向の形状は同じであり、両端部は開口している。
【００４０】
装柱金具取付部３４は、腕金１の装柱金具取付部３１と同様に、横断面が正方形の角パイプ形状を有するが、上面が開口しており、上辺３７にアーム部１３の左右の側面１７の下辺がつながる。装柱金具取付部３４の長さは、アーム部１３の長さと同一であり、側面３６には装柱金具１０５を取付けるための装柱金具取付孔３９が、底面４０には機器等を取付けるための取付孔４１が間隔をあけて複数穿設されている。装柱金具取付部３４の形態は、本実施形態に限定されるものではないが、既存の装柱金具１０５に対応した形態とすることで新たに装柱金具を準備することなく使い勝手に優れる。
【００４１】
前記のように第３実施形態の腕金３は、アーム部１３の下方にアーム部１３の全長にわたり装柱金具取付部３４が取付けられ、アーム部１３の側面１７及び取付部３４の側面３６がつながるように設けられていることから（図９（ａ）参照）、腕金３は、アーム部１３と装柱金具取付部３４とが一体的に形成され、腕金３の上部がアーム部１３、下部が装柱金具取付部３４ということができる。
【００４２】
第３実施形態の腕金３は、アーム部１３の側面１７が鋭角で装柱金具取付部３４の横断面が正方形であるが、腕金３の形態はこれに限定されるものではなく、図９（ｂ）に示すように腕金３のアーム部１３の角度が緩やかで、装柱金具取付部３４の横断面が、横長の長方形であってもよい。またアーム部１３の底面に板材を取付け、これをアーム部１３の底面１６及び装柱金具取付部３４の上面としてもよい。
【００４３】
腕金３の使用例として、腕金３にストラップ１２５、耐張碍子１２６、引留クランプ１２７を取付け、引留クランプ１２７に電線１１１を固定した例を図１０に示した。腕金３は、アーム部１３の上面１５の幅Ｌ１が狭い上に凸状の台形状ゆえ第１実施形態の腕金１と同等に営巣を防止することができる。また腕金３は、アーム部１３と同じ長さの装柱金具取付部３４を備え、従来の腕金と同様の使い方ができるので現場で使い易い。
【００４４】
以上、第１から第３実施形態の腕金１、２、３及びその変形例を用いて説明したように本発明に係る腕金は、横断面が上に凸の形状のアーム部１１、１２、１３、より詳細には底面１６又は装柱金具取付部３４の底面４０に比較して幅の狭い上面１５が平坦な機器取付部２３を有する、上に凸の形状のアーム部１１、１２、１３を備えるので鳥類が営巣することを防止できる。
【００４５】
さらに本発明に係る腕金は、横断面が矩形形状の装柱金具取付部３１、３２、３４を備えるので従来の腕金と同様の態様で使用可能であり、当該腕金を電柱１０１に固定するための装柱金具１０５も従来のものを使用可能であり使い勝手に優れる。また本発明に係る腕金は、特許文献２、特許文献３に記載されているようなカバーを後付けする必要がないため従来のカバーが有する課題もない。
【００４６】
本発明に係る腕金は、上記実施形態に限定されるものではなく要旨を変更しない範囲で変更して使用することができる。また腕金１、２、３のアーム部１１、１２、１３に取付ける機器・機具・金物も特に限定されるものではない。
【００４７】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００４８】
１、２、３腕金
１１、１２、１３  アーム部
１５  上面
１６  底面
１７、１７ａ、１７ｂ、１７ｃ、１７ｄ、１７ｅ、１７ｆ、１７ｇ  側面
１８  側面（三角部）
２３  機器取付部
２７  台形部
２８  三角部
３１、３２、３４  装柱金具取付部
１０１  電柱
１０５  装柱金具
１１１  電線
１２１  ピン碍子
１２２  バインド線
１２５  ストラップ
１２６  耐張碍子
１２７  引留クランプ
Ｌ１    上面の幅
Ｌ２    底面の幅
Ｌ３    装柱金具取付部の幅
Ｌ５    台形部の長さ
【図１】
2019106781.tif 000003
【図２】
2019106781.tif 000004
【図３】
2019106781.tif 000005
【図４】
2019106781.tif 000006
【図５】
2019106781.tif 000007
【図６】
2019106781.tif 000008
【図７】
2019106781.tif 000009
【図８】
2019106781.tif 000010
【図９】
2019106781.tif 000011
【図１０】
2019106781.tif 000012